【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
投射装置であって、
第１光学系と、
前記第１光学系の光射出側に配置される絞りと、
前記絞りの光射出側に配置される第２光学系と、
前記第１光学系と前記第２光学系との間の光路上に配置され、前記第１光学系により射出された光を前記第２光学系に反射させる反射面を有する反射部と、を備え、
前記第２光学系は、その光軸が前記第１光学系の光軸に沿うように配置され、
前記反射部は、前記反射面が前記第１光学系の光軸に沿うように配置され、
前記第１光学系及び前記第２光学系の前記反射部の反射面と反対の面側の少なくとも一部が切り欠かれていることを特徴とする投射装置。
【請求項２】
前記反射部は、当該反射部の反射面上に前記第１光学系の光軸が位置するように配置されていることを特徴とする請求項１に記載の投射装置。
【請求項３】
前記絞りの近傍に前記反射部を配置することを特徴とする請求項１に記載の投射装置。
【請求項４】
前記反射部の反射面と前記第２光学系の光軸が、前記第１光学系の光軸と角度をなして配置され、
前記反射部の反射面と前記第２光学系の光軸とが略同一方向に傾斜していることを特徴とする請求項１に記載の投射装置。
【請求項５】
前記反射部の反射面の形状が、平面形状であることを特徴とする請求項１に記載の投射装置。
【請求項６】
前記反射部の反射面の形状が、凸面形状、あるいは、凹面形状であることを特徴とする請求項１に記載の投射装置。
【請求項７】
前記第１光学系の光軸は、前記投射装置のシステム光軸に沿っていることを特徴とする請求項１に記載の投射装置。
【請求項８】
投射装置であって、
第１光学系と、
前記第１光学系の光射出側に配置される絞りと、
前記絞りの光射出側に配置される第２光学系と、
前記第１光学系と前記第２光学系との間の光路上に配置され、前記第１光学系により射出された光を前記第２光学系に反射させる反射面を有する反射部と、を備え、
前記第２光学系は、その光軸が前記第１光学系の光軸と角度をなして配置され、
前記反射部は、前記反射面が前記第１光学系の光軸と角度をなして配置され、
前記反射部の反射面と前記第２光学系の光軸とが略同一方向に傾斜しており、
前記第１光学系及び前記第２光学系の前記反射部の反射面と反対の面側の少なくとも一部が切り欠かれていることを特徴とする投射装置。
【請求項９】
前記絞りの近傍に前記反射部を配置することを特徴とする請求項８に記載の投射装置。
【請求項１０】
前記反射部の反射面の形状が、平面形状であることを特徴とする請求項８に記載の投射装置。
【請求項１１】
前記反射部の反射面の形状が、凸面形状、あるいは、凹面形状であることを特徴とする請求項８に記載の投射装置。
【請求項１２】
光を射出する光源と、
該光源から射出された光を画像情報に応じて変調する光変調装置と、
該光変調装置により変調された光を被投射面に投射する投射装置と、を備え、
前記投射装置は、
第１光学系と、
前記第１光学系の光射出側に配置される絞りと、
前記絞りの光射出側に配置される第２光学系と、
前記第１光学系と前記第２光学系との間の光路上に配置され、前記第１光学系により射出された光を前記第２光学系に反射させる反射面を有する反射部と、を備え、
前記第２光学系は、その光軸が前記第１光学系の光軸に沿うように配置され、
前記反射部は、前記反射面が前記第１光学系の光軸に沿うように配置され、
前記第１光学系及び前記第２光学系の前記反射部の反射面と反対の面側の少なくとも一部が切り欠かれ、
前記第１光学系及び前記第２光学系の光軸より切り欠かれている側と反対側に前記光変調装置から射出された光を入射させることを特徴とする画像表示装置。
【請求項１３】
前記反射部は、当該反射部の反射面上に前記第１光学系の光軸が位置するように配置されていることを特徴とする請求項１２に記載の画像表示装置。
【請求項１４】
前記絞りの近傍に前記反射部を配置することを特徴とする請求項１２に記載の画像表示装置。
【請求項１５】
前記反射部の反射面と前記第２光学系の光軸が、前記第１光学系の光軸と角度をなして配置され、
前記反射部の反射面と前記第２光学系の光軸とが略同一方向に傾斜していることを特徴とする請求項１２に記載の画像表示装置。
【請求項１６】
前記第１光学系の光軸は、前記投射装置のシステム光軸に沿っていることを特徴とする請求項１２に記載の画像表示装置。
【手続補正２】
【補正対象書類名】明細書
【補正対象項目名】０００８
【補正方法】変更
【補正の内容】
【０００８】
本発明に係る投射装置では、システム光軸に、絞りと、絞りの光入射側に配置される第１光学系の光軸と、絞りの光射出側に配置される第２光学系の光軸とが沿うように配置され、第１光学系及び第２光学系の反射部の反射面と反対の面側の少なくとも一部が切り欠かれている。この構成により、第１光学系の光軸の切り欠かれている側と反対側（上方）から光を入射させることになる。これにより、第１光学系を通過し、反射部の反射面において反射した光は、第２光学系を通過し、システム光軸よりも上方の被投射面に向かって投射される。このとき、入射した光は反射部の裏面側に進行せずに、第１光学系、反射部、第２光学系を通過する。
したがって、反射部の反射面を第１光学系の光軸近傍に配置することにより、従来の第１光学系及び第２光学系の一部には光が入射しない部分が生じる。本発明では、この部分を切り欠いているため、薄型化を図りつつ斜め方向に光を投射することが可能な投射装置を提供することができる。
本発明の投射装置は、第１光学系と、前記第１光学系の光射出側に配置される絞りと、  前記絞りの光射出側に配置される第２光学系と、前記第１光学系と前記第２光学系との間の光路上に配置され、前記第１光学系により射出された光を前記第２光学系に反射させる反射面を有する反射部と、を備え、前記第２光学系は、その光軸が前記第１光学系の光軸に沿うように配置され、前記反射部は、前記反射面が前記第１光学系の光軸に沿うように配置され、前記第１光学系及び前記第２光学系の前記反射部の反射面と反対の面側の少なくとも一部が切り欠かれていることを特徴とする。
本発明に係る投射装置では、第１光学系と、第１光学系の光射出側に配置される絞りと、絞りの光射出側に配置され、その光軸が第１光学系の光軸に沿うように配置された第２光学系とを備え、第１光学系及び第２光学系の反射部の反射面と反対の面側の少なくとも一部が切り欠かれている。この構成により、第１光学系の光軸の切り欠かれている側と反対側（上方）から光を入射させることになる。これにより、第１光学系を通過し、反射部の反射面において反射した光は、第２光学系を通過し、第１光学系の光軸の上方の被投射面に向かって投射される。このとき、入射した光は反射部の裏面側に進行せずに、第１光学系、反射部、第２光学系を通過する。
したがって、反射部の反射面を第１光学系の光軸近傍に配置することにより、従来の第１光学系及び第２光学系の一部には光が入射しない部分が生じる。本発明では、この部分を切り欠いているため、薄型化を図りつつ斜め方向に光を投射することが可能な投射装置を提供することができる。
【手続補正３】
【補正対象書類名】明細書
【補正対象項目名】００１７
【補正方法】変更
【補正の内容】
【００１７】
本発明に係る投射装置では、反射部の反射面の形状が、凸面形状、あるいは、凹面形状であるため、反射部が、レンズ機能を有するとともに入射した光を反射させることが可能となる。したがって、第１，第２光学系を複数のレンズにより構成した場合、反射部が複数のレンズの一部のレンズ機能を担うことができるため、第１，第２光学系を構成するレンズの枚数を減らすことが可能となる。これにより、装置全体の小型化を図ることが可能となる。また、反射部を収差補正に用いることができるため、投射装置を例えば画像表示装置に用いた場合、鮮明な画像を被投射面に投射することが可能となる。
本発明に係る投射装置では、前記第１光学系の光軸は、前記投射装置のシステム光軸に沿っていることが好ましい。
本発明の投射装置は、第１光学系と、前記第１光学系の光射出側に配置される絞りと、  前記絞りの光射出側に配置される第２光学系と、前記第１光学系と前記第２光学系との間の光路上に配置され、前記第１光学系により射出された光を前記第２光学系に反射させる反射面を有する反射部と、を備え、前記第２光学系は、その光軸が前記第１光学系の光軸と角度をなして配置され、前記反射部は、前記反射面が前記第１光学系の光軸と角度をなして配置され、前記反射部の反射面と前記第２光学系の光軸とが略同一方向に傾斜しており、前記第１光学系及び前記第２光学系の前記反射部の反射面と反対の面側の少なくとも一部が切り欠かれていることを特徴とする。
本発明に係る投射装置では、反射部の反射面と第２光学系の光軸とが略同一方向に傾斜しているため、入射した光を上下左右方向により傾斜させて投射することが可能となる。
すなわち、反射部及び第２光学系を傾斜させ、反射部の反射面と第１光学系の光軸との角度及び第２光学系の光軸と第１光学系の光軸との角度を調節することにより、被投射面に投射される光の投射角度を用途に応じて変更することが可能となる。
【手続補正４】
【補正対象書類名】明細書
【補正対象項目名】００１９
【補正方法】変更
【補正の内容】
【００１９】
本発明に係る画像表示装置では、光源より射出された光は光変調装置に入射される。そして、光変調装置により形成された画像が、投射装置によって投射される。このとき、上述したように、薄型化された投射装置を用いているため、装置全体の薄型化を図りつつ斜め方向に画像を投射することが可能な画像表示装置を提供することができる。
本発明に係る画像表示装置は、光を射出する光源と、該光源から射出された光を画像情報に応じて変調する光変調装置と、該光変調装置により変調された光を被投射面に投射する投射装置と、を備え、前記投射装置は、第１光学系と、前記第１光学系の光射出側に配置される絞りと、前記絞りの光射出側に配置される第２光学系と、前記第１光学系と前記第２光学系との間の光路上に配置され、前記第１光学系により射出された光を前記第２光学系に反射させる反射面を有する反射部と、を備え、前記第２光学系は、その光軸が前記第１光学系の光軸に沿うように配置され、前記反射部は、前記反射面が前記第１光学系の光軸に沿うように配置され、前記第１光学系及び前記第２光学系の前記反射部の反射面と反対の面側の少なくとも一部が切り欠かれ、前記第１光学系及び前記第２光学系の光軸より切り欠かれている側と反対側に前記光変調装置から射出された光を入射させることを特徴とする。
本発明に係る画像表示装置では、光源より射出された光は光変調装置に入射される。そして、光変調装置により形成された画像が、投射装置によって投射される。このとき、上述したように、薄型化された投射装置を用いているため、装置全体の薄型化を図りつつ斜め方向に画像を投射することが可能な画像表示装置を提供することができる。
【手続補正５】
【補正対象書類名】明細書
【補正対象項目名】００２３
【補正方法】変更
【補正の内容】
【００２３】
また、第１レンズ群１１及び第２レンズ群１２は、図１の二点鎖線で示す半分(光軸Ｏ１、Ｏ２を含むＺＸ平面よりも反射部１４の裏面１４ｂ側)切り欠かれており、第１レンズ群１１及び第２レンズ群１２に用いられるレンズ１１ａ〜１１ｆ及びレンズ１２ａ〜１２ｇは、通常のレンズの大きさの半分となっている。具体的には、反射部１４の裏面１４ｂ側の第１レンズ群１１，第２レンズ群１２が切り欠かれているため、反射部１４に対して垂直方向の厚みが従来の大きさ（二点鎖線を含む大きさ）に比べて半分に薄くなっている。
なお、第１レンズ群１１及び第２レンズ群１２を構成するレンズ１１ａ〜１１ｆ、１２ａ〜１２ｇの形状、大きさ、配置間隔及び枚数は、これに限るものではなく、要求される特性によって適宜変更させるものである。
【手続補正６】
【補正対象書類名】明細書
【補正対象項目名】００２７
【補正方法】変更
【補正の内容】
【００２７】
本実施形態に係る投射装置１では、反射部１４の反射面１４ａを第１レンズ群１１の光軸Ｏ１上に配置することにより、第１レンズ群１１から射出された光は第１レンズ群１１の光軸Ｏ１を含むＺＸ平面より下側（光軸Ｏ１を含むＺＸ平面より第１レンズ群に光が入射しない側）に進行せずに第２レンズ群１２に入射される。これにより、従来の第１レンズ群及び第２レンズ群の一部には光が入射しない部分（図１に示す二点鎖線部分）が生じる。本実施形態では、この部分を切り欠いているため、薄型化を図りつつ斜め方向に画像を投射することが可能となる。